(57)【要約】多量のマーキング材（３０）、装薬（３６）、および起爆装置（２２）を備えたハウジングを少なくとも１つ備えた個人用安全装置（１０）であって、上記起爆装置（２２）が上記装薬（３６）を爆発させて上記マーキング材を上記ハウジング（Ｈ）から推進させ、上記安全装置周辺部分に印をつける。
2006515091.tif 000002
【特許請求の範囲】
【請求項１】
多量のマーキング材、装薬、および起爆装置を備えたハウジングを少なくとも１つ備えた個人用安全装置であって、上記起爆装置が上記装薬を爆発させて上記マーキング材を上記ハウジングから推進させ、上記個人用安全装置周辺部分に印をつける個人用安全装置。
【請求項２】
上記起爆装置が機械的に作動される装置である請求項１記載の個人用安全装置。
【請求項３】
上記起爆装置が上記装薬に点火して爆発させる点火装置を備える請求項２記載の個人用安全装置。
【請求項４】
上記点火装置が一方の構成部品を他方の構成部品に対して動かすことにより作動され、摩擦により火花点火を発生させる請求項３記載の個人用安全装置。
【請求項５】
上記構成部品の１つまたは両方が化学処理された表面を有し、上記構成部品が相対的に動かされたとき、上記化学処理された表面が反応して点火を確実に行えるようにした請求項４記載の個人用安全装置。
【請求項６】
上記ハウジングが第一ハウジング部と、相対的に可動な第二ハウジング部とを備え、上記第一ハウジング部に対して上記第二ハウジング部が相対的に動くことにより、上記起爆装置を作動させる請求項１〜５のいずれか一項に記載の個人用安全装置。
【請求項７】
上記第一ハウジング部を使用者または建造物に取り付けて使用する請求項６記載の個人用安全装置。
【請求項８】
上記起爆装置が、上記起爆装置の相対的可動構成部品の一方または他方に取り付けられたコードを備え、使用者により上記一方が上記他方に対して相対的に動かされ、上記第二ハウジング部を上記第一ハウジング部から離れるように動かし、上記コードを引くようになっている請求項６または請求項７が請求項４に従属した場合に記載の個人用安全装置。
【請求項９】
上記個人用安全装置が、偶発的な作動対策として、上記起爆装置を隠すかまたは上記起爆装置を防護するガードを備えた請求項１〜８のいずれか一項に記載の個人用安全装置。
【請求項１０】
上記ガードが、スライド式、または別の方法で可動式、または取り外し可能な部品を備えており、通常の使用で上記ハウジング部が相対的に動くのを防止し、それにより上記起爆装置が作動するのを防止する請求項９が請求項６に従属した場合に記載の個人用安全装置。
【請求項１１】
上記個人用安全装置の作動のために、上記ガードが最小限の器用さでも簡単に動かせるか取り外せる請求項９または１０記載の個人用安全装置。
【請求項１２】
上記マーキング材が一般的に無害な物質である請求項１〜１１のいずれか一項に記載の個人用安全装置。
【請求項１３】
上記マーキング材が、非常に染色性が高く、除去が困難である染料を含む請求項１〜１２のいずれか一項に記載の個人用安全装置。
【請求項１４】
上記マーキング材が、視覚スペクトルにおいて不可視である物質を含む請求項１〜１３のいずれか一項に記載の個人用安全装置。
【請求項１５】
上記マーキング材が、紫外線波長で検出可能な蛍光化合物か、クロマトグラフィー、蛍光Ｘ線、またはそのほかの分光法で検出可能な微量物質を含む請求項１４記載の個人用安全装置。
【請求項１６】
上記マーキング材が、独特の識別子を持つ物質を含む請求項１〜１５のいずれか一項に記載の個人用安全装置。
【請求項１７】
上記物質が、ＤＮＡや化学的に暗号化した添加剤のような独特の化学識別子を含む請求項１６記載の個人用安全装置。
【請求項１８】
上記起爆装置を作動させることにより上記個人用安全装置が操作されると、救難信号を送信する送信機を備えた請求項１〜１７のいずれか一項に記載の個人用安全装置。
【請求項１９】
上記個人用安全装置は、遠隔地から信号を受信する受信機を備えており、上記受信機はそれに応答して操作可能であり、上記送信機が上記救難信号を送信するよう作動させる請求項１８記載の個人用安全装置。
【請求項２０】
上記個人用安全装置が充電式か交換式のパワー・パックを備えた請求項１〜１９のいずれか一項に記載の個人用安全装置。
【請求項２１】
実質上、上述および／または添付図面に記載の個人用安全装置。
【請求項２２】
救難信号を送信するよう操作できる送受信機を備えたハウジングを少なくとも１つ備えた個人用安全装置を備えた個人用安全システムであって、上記システムは上記送信された救難信号を受信できる遠隔受信機と、上記個人用安全装置の作動信号を送信する遠隔送信機を備えており、上記送受信機は遠隔地から送信された作動信号を受信してそれに応答して上記救難信号を送信できる個人用安全システム。
【請求項２３】
上記個人用安全装置が請求項１〜２１のいずれか一項に記載のいずれかの特徴を備えた請求項２２記載の個人用安全システム。
【請求項２４】
上記個人用安全システムが複数の遠隔受信機を備え、上記救難信号が有効域内の受信機に受信され、上記個人用安全装置の位置を突き止めるのに使用できる請求項２２または２３記載の個人用安全システム。
【請求項２５】
実質上、添付図面に関して上記に記載および／または添付図面に記載の個人用安全システム。
【請求項２６】
上述および／または添付図面に記載の新規な特徴またはその組合せである個人用安全装置。
【発明の詳細な説明】
【技術分野】
【０００１】
本発明は個人用安全装置に関するものである。
【背景技術】
【０００２】
従来の個人用安全装置は、作動されると攻撃者に染料または同様の物質をスプレーし、上記攻撃者が後で特定できるようにしたものである。そのような公知の装置としては、例えば、機械的推進体、例えば噴霧器タイプのものを使用して、上記染料を噴出させるものがある（例えば、特許文献１参照）。
【特許文献１】英国特許ＧＢ−Ａ−１３８２８３３号公報
【発明の開示】
【発明が解決しようとする課題】
【０００３】
しかしながら、そのような個人用安全装置を正確に使用するには、ある程度の計画性と冷静な思考能力が必要とされ、上記攻撃者に上記染料で確実に印を残すにはある程度照準を定めなければならない。
【０００４】
特に、子供や高齢者は、そのような個人用安全装置を正確に、特にパニック状態において、有効に使用するのに必要な器用さを欠いている可能性もある。
【課題を解決するための手段】
【０００５】
本発明は、多量のマーキング材、装薬、および起爆装置を備えたハウジングを少なくとも１つ備えた個人用安全装置であって、上記起爆装置が上記装薬を爆発させて上記マーキング材を上記ハウジングから推進させ、上記個人用安全装置周辺部分に印をつける個人用安全装置を第１の要旨とする。
【発明の効果】
【０００６】
装薬が上記マーキング材を推進させることにより、上記マーキング材が広く拡散されるので、上記公知の個人用安全装置で行う照準合わせが不要である。しかも、装薬を爆発させる起爆装置は、ボタン等を押圧する操作を必要とする噴霧器タイプのような個人用安全装置よりずっと簡単に操作できる傾向にある。パニック状態においては、本発明の個人用安全装置は公知の個人用安全装置よりはるかに信頼できる。
【０００７】
上記起爆装置は機械的に作動される装置でもよい。例えば、上記起爆装置は、上記装薬に点火して爆発させる点火装置を備えてもよく、上記点火装置が一方の構成部品を他方の構成部品に対して動かすことにより作動され、摩擦により火花点火を発生させる。上記構成部品の１つまたは両方が化学処理された表面を有し、上記構成部品が相対的に動かされたとき、上記化学処理された表面が反応して点火を確実に行えるようにしてもよい。
【０００８】
第１の態様において、上記ハウジングが、使用者または建造物に取り付けて使用する第一ハウジング部と、相対的に可動な第二ハウジング部とを備えてもよく、上記第一ハウジング部に対して上記第二ハウジング部が相対的に動くことにより、上記起爆装置を作動させる。例えば、上記起爆装置の相対的可動構成部品の一方または他方に取り付けられたコードを備え、使用者により上記一方が上記他方に対して相対的に動かされ、上記第二ハウジングを上記第一ハウジングから離れるように動かし、上記コードを引くようになっている。
【０００９】
別の態様において、上記個人用安全装置は、上記第一ハウジング部を建造物、例えば高齢者の住居の壁等に取り付けて使用できる。攻撃された場合には、上記第一ハウジング部の台から第２ハウジング部を取り外すことにより、上記個人用安全装置が作動され、それにより、例えば、コードが引かれ点火され上記装薬が発火する。
【００１０】
従って、望ましくは、いずれの場合においても、上記個人用安全装置が片手で最小限の器用さでも操作可能で、うまく使用できる。
【００１１】
偶発的な作動に対して上記起爆装置を防護するガードを備えている。例えば、上記ハウジングが第一および第二ハウジング部を備えている場合には、上記ガードは、スライド式、または別の方法で可動式、または取り外し可能な部品を備えており、通常の使用で上記ハウジング部が相対的に動くのを防止し、それにより上記起爆装置が作動するのを防止する。
【００１２】
上記個人用安全装置の作動のために、好ましくは、上記ガードが最小限の器用さでも簡単に動かせるか取り外せる。
【００１３】
攻撃者と同様に上記使用者も、例えば装薬で推進された上記マーキング材の効力によって、上記マーキング材で印が付けられるので、好ましくは、上記マーキング材が一般的に無害な物質である。しかしながら、上記マーキング材は、非常に染色性が高く、除去が困難である染料なので、攻撃者は、少なくともすぐには上記染料の可視的な痕跡を落とすことができない。好ましくは、上記マーキング材が、視覚スペクトルにおいて不可視である物質を含む。例えば、上記マーキング材が、紫外線波長で検出可能な蛍光化合物か、クロマトグラフィー、蛍光Ｘ線、またはそのほかの分光法で検出可能な微量物質を含む。
【００１４】
または、上記マーキング材が、独特の識別子を備えた物質を含んでもよい。一例として、そのような物質が、ＤＮＡや化学的に暗号化した添加剤のような独特の化学識別子を含んでもよい。
【００１５】
好ましい態様において、上記個人用安全装置は、上記起爆装置を作動させることにより上記個人用安全装置が操作されると、救難信号を送信する送信機を備えている。上記個人用安全装置が操作されると、そのような信号は、上記使用者が災難に遭遇していることを示すだけでなく、上記使用者の位置を突き止めることができる。使用者の位置は、上記送信された信号が高周波信号である場合には、三角測量することにより探知することができるし、上記信号が適当なデジタル信号である場合には、電波受信機、グローバル・ポジショニング・システム（全地球測位システム）または移動電話システムで探知することができる。
【００１６】
望ましくは、上記個人用安全装置は、遠隔地から信号を受信する受信機を備えており、上記受信機はそれに応答して操作可能であり、上記送信機が上記救難信号を送信するよう作動させる。従って、使用者が子供で、例えば迷子になった場合、上記起爆装置を作動させて上記マーキング材を放出させることなく、上記迷子になった子供の居場所を突き止めるために、上記送信機を遠隔操作で作動させることができる。または、当然のことながら、上記使用者が負傷または病気で、そのため上記送信機を作動させることができない場合にも、送信機遠隔操作で上記使用者の居場所を突き止めることができる。
【００１７】
当然のことながら、そのような受信機を備えていなければ、本発明の個人用安全装置は、送信機を備えている場合に上記個人用安全装置を操作したときに必要なわずかな電力だけでよい。従って、上記個人用安全装置はわずかな所要電力だけでよい。受信機が備わっている場合には、上記個人用安全装置は、上記受信機に電力を供給するためにより大きな所要電力が必要となる。従って、上記個人用安全装置は、充電式か交換式のパワー・パックを備えてもよい。
【００１８】
本発明は、救難信号を送信するよう操作できる送受信機を備えたハウジングを少なくとも１つ備えた個人用安全装置を備えた個人用安全システムであって、上記システムは上記送信された救難信号を受信できる遠隔受信機と、上記個人用安全装置の作動信号を送信する遠隔送信機を備えており、上記送受信機は遠隔地から送信された作動信号を受信してそれに応答して上記救難信号を送信できる個人用安全システムを第２の要旨とする。
【００１９】
上記個人用安全システムにおいて、上記個人用安全装置が上記第１の要旨のいずれかの特徴を備えている。
【００２０】
好ましくは、上記第２の要旨の上記個人用安全システムが複数の遠隔受信機を備え、上記救難信号が有効域内の受信機に受信され、上記個人用安全装置の位置を突き止めるのに使用できる。
【発明を実施するための最良の形態】
【００２１】
つぎに、本発明の実施の形態を図面にもとづいて説明する。
【００２２】
図面を参照すると、個人用安全装置１０は第一と第二の部品１１、１２からなるハウジングＨを備えている。
【００２３】
上記第一ハウジング部１１は上記第二ハウジング部１２の容器１４を収容する室１３と、上記個人用安全装置１０を上記使用者の服等のアイテム、例えば、ベルト１７に取り付けるための一体型取付部品、この実施態様ではクリップ１６を備えている。
【００２４】
上記第二ハウジング部１２は上記容器１４に取り付けられるか、一体化されたハンドル１９を備えており、以下に述べるように、上記第二ハウジング部１２は上記第一ハウジング部１１から取り外すことができる。
【００２５】
上記第一ハウジング部１１の基部２０には、上記第二ハウジング部１２に備えられた起爆装置２２のコード２１を通す開口部がある。この態様では、上記コード２１の末端はループ状になっており、そこに作動部材２４が通してある。この態様において、上記作動部材２４は、上記第一ハウジング部１１のループ２５でスライドさせることができ、例えば修理や検査の場合、上記コード２１の上記ループから上記コードを解放すれば、上記第二ハウジング部１２を上記第一ハウジング部１１から動かしても、以下に述べるように、上記起爆装置２２は作動しない。
【００２６】
しかしながら、通常の状態において、上記作動部材２４は図２に示す位置にあり、上記起爆装置２２は使用可能である。
【００２７】
上記第一ハウジング部１１に対して、上記第二ハウジング部１２をうっかり動かして、上記個人用安全装置１０が偶発的に作動するのを防ぐために、ガードクリップ２８（図１のみに図示）が備えられており、図１に図示された位置にあるときは、上記第二ハウジング部１２が上記第一ハウジング部１１から動くのを防止している。しかしながら、上記ガードクリップ２８またはその代わりとなるガードは、大して手先の器用さも必要とせず、上記個人用安全装置１０を使用可能状態にするために、簡単に取り外せる。従って、上記ガードクリップ２８は、使用者が小さな子供や、年配の人や、衰弱または障害のある人であっても、簡単に取り外せる。
【００２８】
上記第二ハウジング部１２の上記容器１４内には、多量のマーキング材３０が入っており、上記マーキング材１４には以下の材料が１つかそれ以上含まれている。
【００２９】
第一に、上記マーキング材３０は、非常に染色性が高く、除去が困難である染料を含んでいるので、上記個人用安全装置１０を操作して、上記マーキング材で印を付けられた攻撃者は、少なくともすぐには上記染料の可視的な痕跡を落とすことができない。そのような目的で使用される、皮膚に付着して消えない染料は公知であり、本発明においても使用されるが、好ましくはパウダー状のものが好ましく、上記個人用安全装置１０が操作された場合には、すぐに広範囲に拡散して印をつける。
【００３０】
第二に、上記マーキング材３０は、視覚スペクトルにおいて不可視である物質を含む。例えば、上記マーキング材３０が、紫外線波長で検出可能な蛍光化合物か、クロマトグラフィー、蛍光Ｘ線、またはそのほかの分光法で検出可能な微量物質を含む。そのため、攻撃者が上記マーキング材３０の可視的な痕跡を全て除去したとしても、上記マーキング材は、例えば警察による法医学的な検査で検知できる。
【００３１】
第三に、上記マーキング材３０が、独特の識別子を備えた物質を含んでもよい。一例として、そのような物質が、ＤＮＡや化学的に暗号化した添加剤のような独特の化学識別子を含んでもよい。
【００３２】
化学的に暗号化した添加剤は、製品の供給源を特定するために公知であり、個々の化学コードは無限近く可能である。従って、望ましくは、各容器１４の上記マーキング材３０は、それぞれ固有であれば、被疑攻撃者で見つかったそのような物質が、特定の個人用安全装置１０に起因するマーキング材であることが証明できる。
【００３３】
添加剤の適当な化学物質としては、例えば、ベンジルアセテート、アニシルアセテート、ゲラニルアセテート、メチルアセテート、ｐ−トリルアセテート、バニリンアセテート、アミルアセテート、２−メチルブチルアセテート、イソアミルアセテート、ノニルアセテート、デシルアセテート、ヘプチルアセテート、オクチルアセテート、ラウリルアセテート、およびこれらの組合せからなる群から選択された指示薬があげられる。
【００３４】
いずれの態様においても、本発明の個人用安全装置１０を操作することにより、上記攻撃者ばかりでなく、上記使用者、おそらくは通行人にも印が付されるので、上記マーキング材は一般的に無害な物質である必要がある。
【００３５】
本発明によれば、上記個人用安全装置１０が操作されると、装薬３６が爆発され、上記容器１４の複数の開口部３７のどれかから上記マーキング材３０を押し出す。装薬３６は、火工品や花火タイプの弾薬でよく、発火により爆発する。上記装薬３６の規模は、上記使用者が慎重に上記個人用安全装置１０の狙いを定めなくても、攻撃者に確実に印を残すように、上記マーキング材３０が広範囲に拡散するのに必要な最小限量を注意深く選択する。
【００３６】
この態様では、上記第一ハウジング部１１からその内部の上記第二ハウジング部１２を外すと、上記装薬３６は上記起爆装置２２によって発火される。上記コード２１は、点火装置の第一の構成部品を含んでいるか、または第一の構成部品であって、第一の化学物質で処理されてもよい。上記コード２１は、上記起爆装置２２に固定された鞘４０に収容されており、上記発火装置の第二の構成部品である。上記コード２１が引っ張られると、上記鞘４０に対して上記第一の構成部品が動いて、上記２つの構成部品、すなわち、上記コード２１とその鞘４０のうち、少なくとも一方が化学処理されることにより、確実に火花を生じ、その火花が上記装薬３６を爆発させる。
【００３７】
上記コード２１は、上記第二ハウジング部１２が上記第一のハウジング部１１から十分に動いて、上記マーキング材３０が推進される上記１つまたは複数の開口部３７が開くまで発火しない長さである。
【００３８】
さらに、上記個人用安全装置１０は送信機５０を備えており、この態様では、上記第二ハウジング部１２内に位置する。しかしながら、上記送信機５０は上記第一ハウジング部１１に備えられてもよい。
【００３９】
上記起爆装置２２は、それを作動させるスイッチを備えており、作動されると、上記送信機５０が救難信号を発する。望ましくは、救難または警報信号は完全に無音であるが、必要に応じて、可聴ノイズを含んでもよい。送信された救難信号は、個人用安全システムの１つまたは複数の受信機５２（図３参照）によって受信される。上記受信された信号は、単に上記個人用安全装置１０が操作されたことを示すか、三角法によって、上記個人用安全装置１０、望ましくは上記使用者の位置を突き止められるのに使用される。
【００４０】
上記送信された信号は、単一の高周波信号でよく、望ましくは、上記個人用安全システムは複数の受信機５２を備えており、上記複数の受信機５２の少なくとも１つが上記送信された警報信号の受信可能域内に存在する。この場合、そのような受信機５２は例えば警察署のような戦略拠点に配備されてもよい。上記高周波信号は固有の信号や暗号であれば、上記信号を送信している実際の個人用安全装置１０が特定できる。
【００４１】
または、上記送信された信号は、適当なデジタル信号でよく、全地球測位衛星や移動電話デジタル網によって受信される。ここでも、上記デジタル信号が上記救難信号を送信している上記個人用安全装置１０が特定できるような特定情報を含んでいてもよい。
【００４２】
図２に表されているように、上記第二ハウジング部１１にはバッテリーパワーパック５５も備えられており、上記個人用安全装置１０が操作されると上記送信機５０に電力供給を行う。上述のように、上記個人用安全装置１０は、これが操作され上記救難信号が送信されるまでは、電力を必要としない。従って、上記バッテリー５５は小容量で軽量でよい。
【００４３】
上記バッテリー５５を交換するために、上記バッテリー５５は、上記作動部材２４を上記コード２１のループから取り外し、次に上記ハウジング部１１、１２を分離することにより取り出せる。しかしながら、必要に応じて、上記ハウジング部１１、１２を分離せずに、上記バッテリー５５をソケットと接続することにより再充電してもよい。
【００４４】
別の態様において、上記個人用安全装置１０は送信機と受信機との機能を併せ持つ送受信機５０を備えている。この受信機は、外部の遠隔で発せられた、例えば図３に表されているような遠隔送信機５３から発せられた、上記個人用安全装置１０に特定の信号を受信できる。そのような信号は上記個人用安全装置１０の上記起爆装置２２を爆発させることなく、上記救難信号を送信するための内部送信機５０が作動するよう操作できる。上記遠隔発信された信号は上記個人用安全装置１０に特定のものなので、域内の他の同様の個人用安全装置が作動することはない。
【００４５】
この場合、より大容量のバッテリー５５が必要である。なぜなら、適切に遠隔発信された信号をいつでも受信できるように、上記送受信機５５の受信機の機能は継続的に電力を必要としているからであり、および／または、上記送受信機５５を動作可能状態で維持するために、上記バッテリー５５は頻繁な再充電か交換が必要になるからである。
【００４６】
さまざまな変形例が本発明の範囲を逸脱することなくなされる。
【００４７】
例えば、個人用安全装置１０は人が身につけると記載されているが、上記個人用安全装置１０は、建造物、例えば高齢者や年配の人の住居の壁等、おそらく玄関付近に取り付けてもよく、そうすれば、上記個人用安全装置１０は、パニックや緊急事態において、壁等の建造物取り付けの第一ハウジング部１１から第二ハウジング部１２を取り外して操作できる。
【００４８】
また別の態様において、上記ハウジングＨは第一および第二ハウジング部１１、１２を備えていなくてもよいが、単一ハウジング部は起爆装置の外部引き金を備え、それにより、上記個人用安全装置１０が操作されたとき、装薬３６を爆発させて上記マーキング材４０を上記ハウジングから推進させる。
【００４９】
発火させる上記装薬３６を必要としない起爆装置を備えていてもよい。例えば、そのような起爆装置では、作動時に化学物質が混合されることにより装薬を爆発させて、上記個人用安全装置１０から上記マーキング材３０を推進させる。
【００５０】
図面で表された、上記個人用安全装置１０の形状および構造は、単に例としてあげられただけで、多くの変形例が可能である。
【００５１】
上述の特徴や、以下の特許請求の範囲、添付の図面は、各々規定の形式か、上述の機能を実行する手段の観点からか、上述の成果を得るための方法かで表現されており、必要に応じて、そのような特徴は単独か組合せるかで、本発明をさまざまな態様で実現するために利用される。
【図面の簡単な説明】
【００５２】
【図１】本発明の第１の要旨の個人用安全装置の一例を示す正面斜視図である。
【図２】図１の個人用安全装置を説明する側面断面図である。
【図３】本発明の第２の要旨の個人用安全システムの説明図である。
【図１】
2006515091.tif 000003
【図２】
2006515091.tif 000004
【図３】
2006515091.tif 000005
【国際調査報告】
2006515091.tif 000006
2006515091.tif 000007
2006515091.tif 000008
2006515091.tif 000009
2006515091.tif 000010